(57)【要約】【課題】  歯口に対して同一の側に複数段の針床を有していても、各針床の編針に充分な側方荷重に対する支持を行うことができるようにする。【解決手段】  下段針床３ｂ，４ｂの先端に固定シンカ９，１０を装着し、固定シンカ９、１０に編針支持突起１１，１２を設けて、上段針床３ａ，４ａから歯口２に進出する針本体２３ａ，２４ａを側方から支持可能にする。編針支持突起１１，１２は、下段針床３ｂ，４ｂの複合針２１ｂ，２２ｂの動作には干渉しない位置に設ける。編針支持突起１１，１２によって、上段針床３ａ，４ａの針本体２３ａ，２４ａが側方への荷重を受けても、当接によって大きな曲りを抑制することができ、充分な側方支持を行うことができる。【選択図】      図１
2006161230.tif 000002
【特許請求の範囲】
【請求項１】
歯口を挟んで対向する前後の針床のうちの少なくとも一方は、上下二段を有する横編機において、
該二段の針床のうちの下段側針床の歯口側部分には、該下段側針床から歯口に進退して編成動作を行う複数の編針、および上段側針床から歯口に進退して編成動作を行う複数の編針の両方に対してシンカとして作用する複数の固定シンカが設けられ、
固定シンカには、該下段側針床の編針が歯口に対して進退する編成動作には干渉しない位置で、かつ該上段側針床の編針が歯口に対して進出する状態の側面に臨む位置に、該上段側針床から歯口に進出する編針の側面に向って突出する突起が設けられることを特徴とする横編機。
【請求項２】
前記二段の針床では、各編針と各固定シンカとが交互に配置され、
前記突起は、各固定シンカの両側面にそれぞれ設けられることを特徴とする請求項１記載の横編機。
【請求項３】
前記下段側針床から歯口に進退して編成動作を行う編針は、前記歯口側の先頭部にタングを形成した２枚のブレードを含むスライダを針本体とは独立して該歯口に対して進退可能であって、スライダのブレードで針本体のフックを開閉する複合針であり、
前記固定シンカの突起には、歯口から離れると突出量が減少する傾斜が設けられ、該傾斜で下段側針床の複合針のブレード先端を案内することを特徴とする請求項１または２記載の横編機。
【請求項４】
前記固定シンカは、前記下段側針床の編針に対する側方支持の機能も有することを特徴とする請求項１〜３のいずれか１つに記載の横編機。
【発明の詳細な説明】
【技術分野】
【０００１】
本発明は、４枚ベッド横編機など、少なくとも歯口を挟んで対向する前後の一方に二段の針床を有する横編機に関する。
【背景技術】
【０００２】
従来から、横編機では、針床に並設される多数の編針が歯口に進退する編成動作を行い、歯口に供給される編糸を引込んで編目ループを形成しながら編地を編成している。針床には、平行な針溝が形成され、編針の編成動作は針溝によって案内される。編針は、針溝内を歯口に対して進退する方向に摺動変位し、この方向に直交する方向に対しては、針溝の側面で支持される。ただし、編針の先端側は、編成動作の途中で編糸が掛るので、針溝から露出する。針床で歯口に臨む先端側は、編針が編糸を引込む際に障害とならないように、間口を拡げることが要求され、針溝を先端側まで形成することはできない。したがって、編目ループの形成に使用される編針が先端を歯口に進出させている状態では、針溝による側方への支持を受けない部分が多く露出することになる。
【０００３】
間口が広くなっている針床の先端側の部分で編針の側方を支持するために、突起を設ける先行技術が知られている（たとえば、特許文献１参照。）。この先行技術では、編下り生地によって編幅の両端側の編針がそれぞれ内側に引張られるのを、針床の中央部から左右対称的に針溝の間口で幅方向の内側に相当する側に突起を設けて、編針の曲がりを制約するようにしている。
【０００４】
また、針床の最先端側に、編針の下部を収容する導溝を設ける先行技術も知られている（たとえば、特許文献２参照。）。この先行技術では、歯口を挟んで前後の針床が対向する２枚ベッドの横編機で、各編針には一側方に跳ね板が設けられている。各針床の編針間には間隔をあけてシンカーを配置し、編成作業中に編糸によって編針に掛る横方向の荷重を、跳ね板に接触しない深さに形成する導溝で編針の下部を受けて支持する。導溝は、編み糸によって編針に掛る横方向の荷重で編針が曲り、編成事故や編組織の崩れが発生することを防いで、編針の曲がりを制約するために設けられる。
【０００５】
横編機では、前後に上下２段ずつの針床を設ける４枚ベッド横編機も使用されている（たとえば、特許文献３参照。）。４枚ベッド横編機では、前後で下段の針床同士、後の下段と前の上段の針床、または前の下段と後の上段とを組合わせて、それぞれ編地を編成することができ、２枚ベッドの横編機よりも多様な編地を編成することができる。ただし、特許文献３の第３図に示されるように、歯口での上段側の針床の先端間の間隔は、下段側の針床の先端間の間隔よりも広くなっている。
【０００６】
【特許文献１】実公昭４２−６２６３号公報
【特許文献２】特開平９−４９１５３号公報
【特許文献３】特公平１−５７１７３号公報
【発明の開示】
【発明が解決しようとする課題】
【０００７】
特許文献３に示すような４枚ベッドの横編機でも、下段側の針床の編針に関しては、２枚ベッドの針床と同程度の側方支持を行うことができる。たとえば特許文献１などと同様な突起を針床の先端部に設けて、編針の側方での支持を行うことができる。しかしながら、上段側の針床では、歯口に臨む先端間の間隔が下段側の針床の先端間の間隔より広くなっているので、突起を設けての編針の側方支持は困難となる。
【０００８】
さらに、上段側では、針床の先端位置が歯口から離れるので、たとえば上段側の針床で度詰め編成を行う場合、編針の先端のフックを歯口の中心よりも対向する針床側に進出させて編糸の供給を受けた後、編針を後退させて編目ループを形成させるとしても、編針の先端は針床の先端部分から突出している状態となってしまう。このような状態では、編目を保持する編針に対する側方への支持を充分に行うことができない。
【０００９】
本発明の目的は、歯口に臨む同一の側に上下二段の針床を有していても、上段側の針床の編針に側方荷重に対する充分な支持を行うことができる横編機を提供することである。
【課題を解決するための手段】
【００１０】
本発明は、歯口を挟んで対向する前後の針床のうちの少なくとも一方は、上下二段を有する横編機において、
該二段の針床のうちの下段側針床の歯口側部分には、該下段側針床から歯口に進退して編成動作を行う複数の編針、および上段側針床から歯口に進退して編成動作を行う複数の編針の両方に対してシンカとして作用する複数の固定シンカが設けられ、
固定シンカには、該下段側針床の編針が歯口に対して進退する編成動作には干渉しない位置で、かつ該上段側針床の編針が歯口に対して進出する状態の側面に臨む位置に、該上段側針床から歯口に進出する編針の側面に向って突出する突起が設けられることを特徴とする横編機である。
【００１１】
また本発明で、前記二段の針床では、各編針と各固定シンカとが交互に配置され、
前記突起は、各固定シンカの両側面にそれぞれ設けられることを特徴とする。
【００１２】
また本発明で、前記下段側針床から歯口に進退して編成動作を行う編針は、前記歯口側の先頭部にタングを形成した２枚のブレードを含むスライダを針本体とは独立して該歯口に対して進退可能であって、スライダのブレードで針本体のフックを開閉する複合針であり、
前記固定シンカの突起には、歯口から離れると突出量が減少する傾斜が設けられ、該傾斜で下段側針床の複合針のブレード先端を案内することを特徴とする。
【００１３】
また本発明で、前記固定シンカは、前記下段側針床の編針に対する側方支持の機能も有することを特徴とする。
【発明の効果】
【００１４】
本発明によれば、横編機の前後の針床のうちの少なくとも一方は、上下二段の針床を有して、そのうちの下段側の針床の歯口側部分には、複数の固定シンカが設けられる。固定シンカは、下段側の針床および上段側の針床から歯口に進退して編成動作を行う編針に対してシンカとして作用する。固定シンカには、下段側の針床の編針が歯口に対して進退する編成動作には干渉しない位置で、かつ上段側の針床の編針が歯口に対して進出する状態の側面に臨む位置に、上段側の針床から歯口に進出する編針の側面に向って突出する突起が設けられ、編針が側方に荷重を受けて曲ると当接し、大きな曲りを抑制することができる。突起は、編針の側方に突出するだけであるので、線材のような貫通材とは異なり、編針などとの干渉は少なく、歯口に近い位置に設けて、編針の支持を有効に行うことができる。
【００１５】
また本発明によれば、各針床に並設される複数の編針の間には固定シンカがそれぞれ配置され、各固定シンカの両側面に突起がそれぞれ設けられる。各編針に向って、両側の固定シンカから突起が突出するので、編針の両側方へのいずれの荷重に対しても、突起によって大きな曲りを抑制することができる。
【００１６】
また本発明によれば、たとえば特許第３３７９９４７号公報に開示されている複合針のスライダを歯口に進出させると、２枚のブレードの先端が固定シンカから突出する突起に連なる傾斜に案内され、ブレードの側方への開きを減少させることができる。横編機のメンテナンスなどで手動でのスライダを進退操作時や、スライダを駆動するカムのルートから外れる迷走時などでも、確実にブレードの先端を案内することができる。すなわち、傾斜がなければブレードの先端を破損するような事故の防止を図ることができる。
【００１７】
また本発明によれば、固定シンカによって、下段側の針床の編針に対する側方支持と、上段側の針床の編針に対する側方支持とを同時に行うことができる。
【発明を実施するための最良の形態】
【００１８】
図１は、本発明の実施の一形態としての４枚ベッド横編機１の概略的な構成を歯口２付近の断面で示す。４枚ベッド横編機１では、歯口２を挟んで対向する前側針床３および後側針床４がそれぞれ上段針床３ａ，４ａおよび下段針床３ｂ，４ｂを有する。なお、以下の説明で、歯口２を挟んで前後に対になっている構成部分は、前側を奇数、後側を偶数の続き番号で示す。上下で同等の構成部分には、上段側にａを付加し、下段側にはｂを付加して示すけれども、総称するときには、ａ，ｂを省略することもある。
【００１９】
上段針床３ａ，４ａには、複数の上段ニードルプレート５，６がそれぞれ立設される。下段針床３ｂ，４ｂには、複数の下段ニードルプレート７，８がそれぞれ立設される。４枚ベッド横編機１では、上段針床３ａ，４ａを、下段針床３ｂ，４ｂから立設される下段ニードルプレート７，８の歯口寄り部分を延長させて支持している。下段針床３ｂ，４ｂが歯口２に臨む先端部には固定シンカ９，１０がそれぞれ歯口２側から装着される。固定シンカ９，１０は、編針支持突起１１，１２を有し、歯口２で上段針床３ａ，４ｂの編針を側方から支持することができる。
【００２０】
固定シンカ９，１０が歯口２に臨む先端部分には、歯口ワイヤ１３，１４が貫通している。歯口ワイヤ１３，１４は、ピアノ線などの硬質金属線材などを用いることが好ましい。固定シンカ９，１０は、下段針床３ｂ，４ｂの歯口２寄りの部分に貫通されるシンカ掛けワイヤ１５，１６に掛けて固定される。下段ニードルプレート７，８および上段ニードルプレート５，６には、帯金１７，１８；１９，２０がそれぞれ貫通し、位置決めを行っている。上段針床３ａ，４ａおよび下段針床３ｂ，４ｂで上段ニードルプレート５，６および下段ニードルプレート７，８で両側を挟まれる間隙は、針溝となり、編針を収容して、歯口２に進退する摺動変位を案内する。
【００２１】
図１の４枚ベッド横編機１では、編針として、前側針床３および後側針床４の上段針床３ａ，４ａおよび下段針床３ｂ，４ｂには、それぞれ複合針２１ａ，２２ａ；２１ｂ，２２ｂが配置される。このような複合針２１ａ，２１ｂ；２２ａ，２２ｂは、たとえば特許第３３７９９４７号公報に開示されている。各複合針２１ａ，２２ａ；２１ｂ，２２ｂでは、針本体２３ａ，２３ｂ；２４ａ，２４ｂとスライダ２５ａ，２５ｂ；２６ａ，２６ｂとが組合わされ、針本体２３，２４に対してスライダ２５，２６が独立して摺動変位可能となっている。針本体２３，２４の先端には、フック３１ａ，３１ｂ；３２ａ，３２ｂが形成されている。スライダ２５，２６は、針本体２３，２４に対する相対的な変位でフック３１，３２を開閉する。このような複合針２１，２２ではなく、べら針を用いることもできる。
【００２２】
固定シンカ９，１０には、下段針床３ｂ，４ｂの針本体２３ｂ，２４ｂを側方で支持するサポート部３３，３４も設けられている。下段ニードルプレート７，８でも、上段針床３ａ，４ａよりも歯口２側になる部分は、上段針床３ａ，４ａ側の針本体２３ａ，２４ａを側方で支持するサポート部３５，３６として機能する。
【００２３】
図２は、図１の４枚ベッド横編機１の前側針床３に関する歯口２付近の簡略化した構成を、平面視して示す。前側針床３および複合針２１は、歯口２側が高くなるように傾斜している。４枚ベッド横編機１では、後側針床４についても、基本的に同等の構成を有しているので、前側針床３について説明する事項は、後側針床４についても同様に適用される。複合針２１は、スライダ２５の先端に２枚のブレード３７，３８を設けて、針本体２３のフック３１を両側から挟むようにしている。このようにブレードの先端が別れるスライダ２５は、たとえば本件出願人が特許第２９１７４６号公報の図２〜２８などで開示しているように、フック３１よりも歯口２に進出させて、目移しなどに利用することができる。またこのような複合針として、他に、欧州特許出願公開第１３０２５８１号（ＥＰ１３０２５８１Ａ１）明細書や第１２３３０９３号（ＥＰ１２３３０９３Ａ１）明細書がある。
【００２４】
図２（ａ）は上段針床３ａについて示す。上段針床３ａでは、複合針２１ａの針本体２３ａに対する側方支持として、下段ニードルプレート７の先端付近がサポート部３５として機能していても不充分である。固定シンカ９に編針支持突起１１を形成することによって、歯口２に近い位置で充分に支持することができる。なお、図２（ａ）の左側に示すように、複合針２１ａを引込んで、編目の新ループ４０を形成する際に、スライダ２５ａに保持されている旧ループ４１は、スライダ２５ａによって閉じるフック３１ａを乗越えてノックオーバすることで複合針２１ａから外れ、歯口２から編み下がる編地の編目を形成するようになる。たとえば編地の編幅端部の編目が編地中央側へ引かれている場合などでは、ノックオーバ時に、旧ループ４１に連なる編糸４２は、編針支持突起１１上に乗るので、編針支持突起１１は、ノックオーバ補助の機能も果すことができる。
【００２５】
また、新ループ４０として引込む編糸は、隣接する編針との間を固定シンカ９の先端が保持するので、固定シンカ９の先端からフック３１ａに引込むように引張られる。編糸が、複数の細い糸を束ねているような場合でも、編針支持突起１１上で受けて、編針の側面などに落込まないようにすることができる。
【００２６】
図２（ｂ）は、下段針床３ｂについて示す。固定シンカ９の編針支持突起１１は、複合針２１ｂの針本体２３ｂが歯口２に進出しても干渉しない位置に設けられる。ただし、メンテナンスなどの手動操作時や、スライダ２５ｂを駆動するカムのルートから外れる迷走時などで、スライダ２５ｂが歯口２に進出する際には、傾斜３９が有効になる。すなわち、右側に示すように、ブレード３７，３８の先端が編針支持突起１１で歯口２から遠ざかる側に設ける傾斜３９に案内されて、破損するような事故を防止することができる。突起１１と傾斜３９とは、島状に突出しているので、フック３１ｂの周囲の空間を広くすることができる。これによって、編糸を引込んだ時にも余裕があり、フック３１ｂに掛る編糸が周囲と接触しないようにすることができる。なお、針本体２３ｂが歯口２に進出する状態では、固定シンカ９にサポート部３３を設ければ、側方を支持することができる。また、複合針２１ｂに対しては、歯口ワイヤ１３も有効に作用して、ノックオーバの補助を図ることができる。
【００２７】
図３は、図１，２の固定シンカ９，１０として使用可能なシンカ部材５０の例を示す。図３（ａ）は平面視し、図３（ｂ）は正面視してそれぞれ示す。固定シンカ９，１０として編地にシンカループを形成するのは、板状頂部５１の先端部分である。板状頂部５１の先端付近には、貫通孔５２が形成され、図１，２の歯口ワイヤ１３，１４が貫通する。板状頂部５１は、弓形に細長く形成される装着部５３の先端に形成される。装着部５３の先端付近には、掛け止め部５４が形成され、下段針床３ｂ，４ｂの先端付近に貫通するシンカ掛ワイヤ１５，１６に掛けて位置決めすることができる。装着部５３の湾曲は、下段針床３ｂ，４ｂの下面側の外形に沿うように設けられる。装着部５３の基端には、固定部５５が形成され、貫通孔５６を有する。固定部５５は、下段針床３ｂ，４ｂの下面に設けられる凹所に嵌まり込み、貫通孔５６には後述するシンカ固定ワイヤ６０を貫通させることができる。
【００２８】
図３（ａ）で示すように、装着部５３に比較して、板状頂部５１は厚みが薄い。ただし、編針支持突起１１，１２の部分は、装着部５３と同等の厚みを有している。このような形状は、装着部５３の厚みを有する板材を切削加工して形成することができる。また、複数の板材を貼り合わせて形成することもできる。さらに、固定シンカ９、１０は、基端部分を針溝に装着して、シンカとして機能する先端のみを歯口２に突出させるようにすることもできる。
【００２９】
図４は、４枚ベッド横編機１について、図１よりも広い範囲の構成を概略的に示す。固定シンカ９，１０は、下段針床３ｂ，４ｂに、シンカ固定ワイヤ６０，６１を貫通させて固定される。複合針２１，２２の針本体２３，２４やスライダ２５，２６の編成動作は、前側針床３および後側針床４に沿って移動するキャリッジに搭載されるカムで制御される。歯口２の上方には、編糸を供給するヤーンフィーダが設けられ、キャリッジに連行して移動する。４枚ベッド横編機１では、前後の針床を、下段針床３ｂ，４ｂ同士、前側の上段針床３ａと後側の下段針床４ｂ、および前側の下段針床３ｂと後側の上段針床４ａの各組合せで編地を編成することができる。
【００３０】
図５は、図１で針本体２３ａが引込まれている状態を示す。編針支持突起１１，１２の位置は、上段針床３ａ，４ａの針本体２３ａ，２４ａが通過する範囲で、しかも下段針床３ｂ，４ｂのスライダ２５ｂ，２６ｂが通過しても、図２（ｂ）で説明しているようなブレード３７，３８の先端の案内を除いて、干渉を生じない範囲とする。
【００３１】
図６は、左側に示す前側針床３について、複合針２１ａ，２１ｂからのノックオーバの補助に関し、編針支持突起１１と歯口ワイヤ１３とが同等に作用することを示す。ノックオーバの補助は、スライダ２５ａ，２５ｂを乗越える旧ループが編針支持突起１１と歯口ワイヤ１３とに掛って歯口下方に引張ることによって行われる。編針支持突起１１とスライダ２５ａとの位置関係と、歯口ワイヤ１３とスライダ２５ｂとの位置関係が相対的に同等であり、ノックオーバに対する補助を同等に行うことができる。
【００３２】
以上の説明は、歯口２の前後で２段ずつの針床が対向する４枚ベッド横編機１についてであるけれども、少なくとも片側が二段あればよい。すなわち、歯口２を挟んで対向する前後の針床のうちの少なくとも一方は、上下二段を有する横編機において、本発明を同様に適用することができる。二段の針床のうちの下段針床３ｂ，４ｂの歯口２側部分には、下段針床３ｂ，４ｂから歯口２に進退して編成動作を行う複数の編針、および上段針床３ａ，４ａから歯口２に進退して編成動作を行う複数の編針の両方に対してシンカとして作用する複数の固定シンカ９，１０を設けるようにすればよい。固定シンカ９，１０には、下段針床３ｂ，４ｂの編針が歯口２に対して進退する編成動作には干渉しない位置で、かつ上段針床３ａ，４ａの編針が歯口２に対して進出する状態の側面に臨む位置に、上段針床３ａ，４ａから歯口２に進出する編針の側面に向って突出する編針支持突起１１，１２を設けるようにすればよい。上段針床３ａ，４ａから歯口２に進出する編針が側方に荷重を受けても、固定シンカ９，１０の編針支持突起１１，１２と当接して支持を受けるので、大きな曲りは抑制される。編針支持突起１１，１２は、編針の側方に突出するだけであるので、線材のような貫通材とは異なり、編針などとの干渉は少なく、歯口２に近い位置に設けて、編針の支持を有効に行うことができる。
【００３３】
また複数の編針に対して、編針支持突起１１，１２は必ずしも全部設ける必要はない。編針に作用する側方荷重は、編幅の側端側で大きくなるので、側方荷重に対する補助を必要とする編目は、編幅の端部側となる。したがって、針床で編幅の中央付近となることが多い位置には、編針支持突起１１，１２を設けなくてもよい。ただし、編針支持突起１１，１２が設けられない位置では、大きな横向き荷重が生じないようにする必要があり、編成に制約が生じる。針床の前部に編針支持突起１１，１２を設けておけば、編成に対する制約が生じないようにすることができる。
【００３４】
針床の先端部分は、編地編成の際に編目の旧ループが新ループに対してノックオーバする際にも助けとして寄与する。歯口に進出して編糸をフックに受けた編針は、歯口から後退して、編糸を引込みながら編目の新ループを形成する。先に編成されている編目の旧ループは、編針のフックを乗越えてフックから外れるように、歯口で編下げられる編地で引張られる。編目の旧ループに連なる編地は、針床の先端部分の方向まで引張られ、先端部分で下方に方向を変える。針床の先端部分に、針床とは別にピアノ線などの硬質部材を装着するようにしておけば、歯口先端部分での編糸の摩擦を小さくし、ノックオーバを円滑に行う助けとなる。
【００３５】
しかしながら、上段側の針床の先端部分は、下段側の針床に比べて、歯口から離れた位置になってしまうので、上段側に編針のノックオーバを助けるようなピアノ線などの線材を設けるとしても、上下の編針が歯口に進出する際に干渉しない位置に配置しなければならない。干渉を防ぐ配置を可能とするためには、上段側の針床も、下段側の針床から離して配置しなければならない。上下の針床の間隔が大きくなると、対向上下針編成での度詰め性能が著しく低下してしまう。このため、ピアノ線などの線材を上段側の先端部分に貫通させることはできない。ノックオーバの補助を必要とする編目は、編幅の端部側であり、その編目は編幅の中央に向って横向きに引かれるので、編針の側方から突出する突起でも充分なノックオーバの補助を行うことができる。
【図面の簡単な説明】
【００３６】
【図１】本発明の実施の一形態としての４枚ベッド横編機１の歯口２付近の概略的な構成を示す断面図である。
【図２】図１の４枚ベッド横編機１の前側針床３に関する歯口２付近の簡略化した構成を、上段針床３ａ側および下段針床３ｂ側に分けて示す平面図である。
【図３】図１，２の固定シンカ９，１０として使用可能なシンカ部材５０の例を示す平面図および正面図である。
【図４】４枚ベッド横編機１について、図１よりも広い範囲の構成を概略的に示す断面図である。
【図５】図１で針本体２３ａが引込まれている状態を示す断面図である。
【図６】左側に示す前側針床３について、複合針２１ａ，２１ｂからのノックオーバの補助に関し、編針支持突起１１と歯口ワイヤ１３とが同等に作用することを示す断面図である。
【符号の説明】
【００３７】
１  ４枚ベッド横編機
２  歯口
３  前側針床
４  後側針床
３ａ，４ａ  上段針床
３ｂ，４ｂ  下段針床
５，６  上段ニードルプレート
７，８  下段ニードルプレート
９，１０  固定シンカ
１１，１２  編針支持突起
２１ａ，２１ｂ；２２ａ，２２ｂ  複合針
２３ａ，２３ｂ；２４ａ，２４ｂ  針本体
２５ａ，２５ｂ；２６ａ，２６ｂ  スライダ
３１ａ，３１ｂ；３２ａ，３２ｂ  フック
３３，３４，３５，３６  サポート部
３７，３８  ブレード
５０  シンカ部材
【図１】
2006161230.tif 000003
【図２】
2006161230.tif 000004
【図３】
2006161230.tif 000005
【図４】
2006161230.tif 000006
【図５】
2006161230.tif 000007
【図６】
2006161230.tif 000008